(57)【特許請求の範囲】
【請求項１】
ワイヤレス通信の方法であって、
チャネル品質インジケータ（ＣＱＩ）を報告するためのＣＱＩ要件を受信することと、
前記ＣＱＩ要件に基づいて、前記ＣＱＩが周期的に報告されるべきかどうかを判断することと、
前記判断に基づいて前記ＣＱＩの送信およびダウンリンク情報の処理を可能にするための起動時間をスケジュールすることと
を備え、
前記起動時間をスケジュールすることは、ＣＱＩ報告を生成するために必要とされるサブフレームの数、およびオン持続時間の第１のサブフレームと前記ＣＱＩが送信されるべきであると判断されるサブフレームとの間のオフセットにさらに基づき、
前記起動時間は、前記ＣＱＩ報告を生成するために必要とされる前記サブフレームの数が前記オン持続時間の前記第１のサブフレームと前記ＣＱＩが送信されるべきであると判断される前記サブフレームとの間の前記オフセットよりも大きいとき、前記オン持続時間の前記第１のサブフレームより前にスケジュールされる、
方法。
【請求項２】
前記起動時間を前記スケジュールすることは、
前記ＣＱＩが周期的に報告されるべきでないと判断されたとき、前記オン持続時間の前記第１のサブフレームにおいて前記ダウンリンク情報の処理を可能にするために起動するようにスケジュールすることを備え、前記オン持続時間は、ダウンリンク制御チャネルが間欠受信（ＤＲＸ）サイクルごとに監視される持続時間である、請求項１に記載の方法。
【請求項３】
前記起動時間を前記スケジュールすることは、
前記ＣＱＩが周期的に報告されるべきであると判断されたとき、前記ＣＱＩが、前記オン持続時間の開始直後のｘサブフレームのうちのいずれか１つ中に送信されるべきかどうかを判断することを備え、
前記オン持続時間は、ダウンリンク制御チャネルが間欠受信（ＤＲＸ）サイクルごとに監視される持続時間であり、
ｘが、ＣＱＩ報告を生成するために必要とされるサブフレームの数である、請求項１に記載の方法。
【請求項４】
前記起動時間を前記スケジュールすることは、
前記ＣＱＩが、前記オン持続時間の前記開始直後の前記ｘサブフレームのうちのいずれか１つ中に送信されるべきであると判断されたとき、前記オン持続時間の前記開始のｘ−ｙサブフレーム直前であるサブフレームにおいてダウンリンク情報の処理を可能にするために起動するようにスケジュールすることをさらに備え、
ｙは、前記オン持続時間の第１のサブフレームと、前記ＣＱＩが送信されるべきである前記ｘサブフレームのうちの１つとの間の前記オフセットであり、
ｙがｘよりも小さい、請求項３に記載の方法。
【請求項５】
前記起動時間を前記スケジュールすることは、
ｙがｘよりも大きいかまたはそれに等しいとき、前記オン持続時間の前記第１のサブフレームにおいてダウンリンク情報の処理を可能にするために起動するようにスケジュールすることをさらに備える、請求項４に記載の方法。
【請求項６】
前記起動時間を前記スケジュールすることは、
前記ＣＱＩが、前記オン持続時間の前記開始直後の前記ｘサブフレームのうちのいずれか１つ中に送信されるべきでないと判断されたとき、前記オン持続時間の前記第１のサブフレームにおいてダウンリンク情報の処理を可能にするために起動するようにスケジュールすることをさらに備える、請求項３に記載の方法。
【請求項７】
ワイヤレス通信のための装置であって、
チャネル品質インジケータ（ＣＱＩ）を報告するためのＣＱＩ要件を受信するための手段と、
前記ＣＱＩ要件に基づいて、前記ＣＱＩが周期的に報告されるべきかどうかを判断するための手段と、
前記判断に基づいて前記ＣＱＩの送信およびダウンリンク情報の処理を可能にするための起動時間をスケジュールするための手段と
を備え、
スケジュールするための前記手段は、ＣＱＩ報告を生成するために必要とされるサブフレームの数、およびオン持続時間の第１のサブフレームと前記ＣＱＩが送信されるべきであると判断されるサブフレームとの間のオフセットに基づいて前記起動時間をスケジュールするように構成され、
前記起動時間は、前記ＣＱＩ報告を生成するために必要とされる前記サブフレームの数が前記オン持続時間の前記第１のサブフレームと前記ＣＱＩが送信されるべきであると判断される前記サブフレームとの間の前記オフセットよりも大きいとき、前記オン持続時間の前記第１のサブフレームより前にスケジュールされる、
装置。
【請求項８】
前記起動時間をスケジュールするための前記手段は、
前記ＣＱＩが周期的に報告されるべきでないと判断されたとき、前記オン持続時間の前記第１のサブフレームにおいて前記ダウンリンク情報の処理を可能にするために起動するようにスケジュールするように構成され、前記オン持続時間は、ダウンリンク制御チャネルが間欠受信（ＤＲＸ）サイクルごとに監視される持続時間である、請求項７に記載の装置。
【請求項９】
前記起動時間をスケジュールするための前記手段は、
前記ＣＱＩが周期的に報告されるべきであると判断されたとき、前記ＣＱＩが、前記オン持続時間の開始直後のｘサブフレームのうちのいずれか１つ中に送信されるべきかどうかを判断するように構成され、
前記オン持続時間は、ダウンリンク制御チャネルが間欠受信（ＤＲＸ）サイクルごとに監視される持続時間であり、
ｘが、ＣＱＩ報告を生成するために必要とされるサブフレームの数である、請求項７に記載の装置。
【請求項１０】
前記起動時間をスケジュールするための前記手段は、
前記ＣＱＩが、前記オン持続時間の前記開始直後の前記ｘサブフレームのうちのいずれか１つ中に送信されるべきであると判断されたとき、前記オン持続時間の前記開始のｘ−ｙサブフレーム直前であるサブフレームにおいてダウンリンク情報の処理を可能にするために起動するようにスケジュールするようにさらに構成され、
ｙは、前記オン持続時間の第１のサブフレームと、前記ＣＱＩが送信されるべきである前記ｘサブフレームのうちの１つとの間の前記オフセットであり、
ｙがｘよりも小さい、請求項９に記載の装置。
【請求項１１】
前記起動時間をスケジュールするための前記手段は、
ｙがｘよりも大きいかまたはそれに等しいとき、前記オン持続時間の第１のサブフレームにおいてダウンリンク情報の処理を可能にするために起動するようにスケジュールするようにさらに構成される、請求項１０に記載の装置。
【請求項１２】
前記起動時間をスケジュールするための前記手段は、
前記ＣＱＩが、前記オン持続時間の前記開始直後の前記ｘサブフレームのうちのいずれか１つ中に送信されるべきでないと判断されたとき、前記オン持続時間の前記第１のサブフレームにおいてダウンリンク情報の処理を可能にするために起動するようにスケジュールするようにさらに構成された、請求項９に記載の装置。
【請求項１３】
ワイヤレス通信のための装置であって、
メモリと、
前記メモリに結合された少なくとも１つのプロセッサと、
を備え、前記少なくとも１つのプロセッサは、
チャネル品質インジケータ（ＣＱＩ）を報告するためのＣＱＩ要件を受信することと、
前記ＣＱＩ要件に基づいて、前記ＣＱＩが周期的に報告されるべきかどうかを判断することと、
前記判断に基づいて前記ＣＱＩの送信およびダウンリンク情報の処理を可能にするための起動時間をスケジュールすることと
を行うように構成され、
前記少なくとも１つのプロセッサは、ＣＱＩ報告を生成するために必要とされるサブフレームの数、およびオン持続時間の第１のサブフレームと前記ＣＱＩが送信されるべきであると判断されるサブフレームとの間のオフセットにさらに基づいて前記起動時間をスケジュールするように構成され、
前記起動時間は、前記ＣＱＩ報告を生成するために必要とされる前記サブフレームの数が前記オン持続時間の前記第１のサブフレームと前記ＣＱＩが送信されるべきであると判断される前記サブフレームとの間の前記オフセットよりも大きいとき、前記オン持続時間の前記第１のサブフレームより前にスケジュールされる、
装置。
【請求項１４】
前記メモリに結合された前記少なくとも１つのプロセッサは、
前記ＣＱＩが周期的に報告されるべきでないと判断されたとき、前記オン持続時間の前記第１のサブフレームにおいて前記ダウンリンク情報の処理を可能にするために起動するようにスケジュールするようにさらに構成され、前記オン持続時間は、ダウンリンク制御チャネルが間欠受信（ＤＲＸ）サイクルごとに監視される持続時間である、請求項１３に記載の装置。
【請求項１５】
前記メモリに結合された前記少なくとも１つのプロセッサは、
前記ＣＱＩが周期的に報告されるべきであると判断されたとき、前記ＣＱＩが、前記オン持続時間の開始直後のｘサブフレームのうちのいずれか１つ中に送信されるべきかどうかを判断することようにさらに構成され、
前記オン持続時間は、ダウンリンク制御チャネルが間欠受信（ＤＲＸ）サイクルごとに監視される持続時間であり、
ｘが、ＣＱＩ報告を生成するために必要とされるサブフレームの数である、請求項１３に記載の装置。
【請求項１６】
前記メモリに結合された前記少なくとも１つのプロセッサは、
前記ＣＱＩが、前記オン持続時間の前記開始直後の前記ｘサブフレームのうちのいずれか１つ中に送信されるべきであると判断されたとき、前記オン持続時間の前記開始のｘ−ｙサブフレーム直前であるサブフレームにおいてダウンリンク情報の処理を可能にするために起動するようにスケジュールするようにさらに構成され、
ｙは、前記オン持続時間の第１のサブフレームと、前記ＣＱＩが送信されるべきである前記ｘサブフレームのうちの１つとの間の前記オフセットであり、
ｙがｘよりも小さい、請求項１５に記載の装置。
【請求項１７】
前記メモリに結合された前記少なくとも１つのプロセッサは、
ｙがｘよりも大きいかまたはそれに等しいとき、前記オン持続時間の前記第１のサブフレームにおいてダウンリンク情報の処理を可能にするために起動するようにスケジュールするようにさらに構成される、請求項１６に記載の装置。
【請求項１８】
前記メモリに結合された前記少なくとも１つのプロセッサは、
前記ＣＱＩが、前記オン持続時間の前記開始直後の前記ｘサブフレームのうちのいずれか１つ中に送信されるべきでないと判断されたとき、前記オン持続時間の前記第１のサブフレームにおいてダウンリンク情報の処理を可能にするために起動するようにスケジュールするようにさらに構成される、請求項１５に記載の装置。
【請求項１９】
コードを記憶した非一時的なコンピュータ可読媒体であって、
前記コードは、少なくとも１つのプロセッサによって実行されるときに前記プロセッサに、
チャネル品質インジケータ（ＣＱＩ）を報告するためのＣＱＩ要件を受信することと、
前記ＣＱＩ要件に基づいて、前記ＣＱＩが周期的に報告されるべきかどうかを判断することと、
前記判断に基づいて前記ＣＱＩの送信およびダウンリンク情報の処理を可能にするための起動時間をスケジュールすることと
を行わせ、
前記起動時間をスケジュールするためのコードは、ＣＱＩ報告を生成するために必要とされるサブフレームの数、およびオン持続時間の第１のサブフレームと前記ＣＱＩが送信されるべきであると判断されるサブフレームとの間のオフセットにさらに基づいて前記起動時間をスケジュールするように構成され、
前記起動時間は、前記ＣＱＩ報告を生成するために必要とされる前記サブフレームの数が前記オン持続時間の前記第１のサブフレームと前記ＣＱＩが送信されるべきであると判断される前記サブフレームとの間の前記オフセットよりも大きいとき、前記オン持続時間の前記サブフレームより前にスケジュールされる、
非一時的なコンピュータ可読媒体。
【請求項２０】
前記起動時間をスケジュールするための前記コードは、
前記ＣＱＩが周期的に報告されるべきでないと判断されたとき、前記オン持続時間の前記第１のサブフレームにおいて前記ダウンリンク情報の処理を可能にするために起動するようにスケジュールするように構成され、前記オン持続時間は、ダウンリンク制御チャネルが間欠受信（ＤＲＸ）サイクルごとに監視される持続時間である、請求項１９に記載の非一時的なコンピュータ可読媒体。
【請求項２１】
前記起動時間をスケジュールするための前記コードは、
前記ＣＱＩが周期的に報告されるべきであると判断されたとき、前記ＣＱＩが、前記オン持続時間の開始直後のｘサブフレームのうちのいずれか１つ中に送信されるべきかどうかを判断することように構成され、
前記オン持続時間は、ダウンリンク制御チャネルが間欠受信（ＤＲＸ）サイクルごとに監視される持続時間であり、
ｘが、ＣＱＩ報告を生成するために必要とされるサブフレームの数である、請求項１９に記載の非一時的なコンピュータ可読媒体。
【請求項２２】
前記起動時間をスケジュールするための前記コードは、
前記ＣＱＩが、前記オン持続時間の前記開始直後の前記ｘサブフレームのうちのいずれか１つ中に送信されるべきであると判断されたとき、前記オン持続時間の前記開始のｘ−ｙサブフレーム直前であるサブフレームにおいてダウンリンク情報の処理を可能にするために起動するようにスケジュールするようにさらに構成され、
ｙは、前記オン持続時間の第１のサブフレームと、前記ＣＱＩが送信されるべきである前記ｘサブフレームのうちの１つとの間の前記オフセットであり、
ｙがｘよりも小さい、請求項２１に記載の非一時的なコンピュータ可読媒体。
【請求項２３】
前記起動時間をスケジュールするための前記コードは、
ｙがｘよりも大きいかまたはそれに等しいとき、前記オン持続時間の前記第１のサブフレームにおいてダウンリンク情報の処理を可能にするために起動するようにスケジュールするようにさらに構成される、請求項２２に記載の非一時的なコンピュータ可読媒体。
【請求項２４】
前記起動時間をスケジュールするための前記コードは、
前記ＣＱＩが、前記オン持続時間の前記開始直後の前記ｘサブフレームのうちのいずれか１つ中に送信されるべきでないと判断されたとき、前記オン持続時間の前記第１のサブフレームにおいてダウンリンク情報の処理を可能にするために起動するようにスケジュールするようにさらに構成される、請求項２１に記載の非一時的なコンピュータ可読媒体。
【発明の詳細な説明】
【技術分野】
【０００１】
関連出願の相互参照
[0001]本出願は、それらの全体が参照により本明細書に明確に組み込まれる、２０１２年１月３０日に出願された「OPTMIZING UE WAKEUP TIMELINE IN CONNECTED MODE DRX BASED ON CQI REPORTING SCHEDULE IN A WIRELESS COMMUNICATION SYSTEM」と題する米国仮出願第６１／５９２，５２６号、および２０１２年９月１４日に出願された「OPTIMIZING UE WAKEUP TIMELINE IN CONNECTED MODE DRX BASED ON CQI REPORTING SCHEDULE IN A WIRELESS COMMUNICATION SYSTEM」と題する米国特許出願第１３／６２０，５０７号の利益を主張する。
【０００２】
[0002]本開示は、一般に通信システムに関し、より詳細には、チャネル品質インジケータ（ＣＱＩ：channel quality indicator）報告スケジュールに基づいてユーザ機器起動時間（wake-up time）を最適化することに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、様々なワイヤレスデバイスが都市、国家、地域、さらには地球規模で通信することを可能にする共通プロトコルを提供するために、様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイル電気通信システム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]ユーザ機器（ＵＥ）は、バッテリー寿命を温存するために、できる限り短く起動しているべきである。間欠受信（ＤＲＸ：discontinuous reception）モードでは、ＵＥは、ダウンリンク信号を監視するために、できる限り遅く起動することが望ましい。しかしながら、ＵＥは、周期ＣＱＩ報告がオン持続時間（on-duration）の第１のサブフレームにおいて送信されるべきである場合に備えて、オン持続時間内の第１のサブフレームの所与の数のサブフレーム前にダウンリンクチャネルを監視するのに十分早く起動することを考えなければならない。しかしながら、ＣＱＩ報告が、オン持続時間の第１のサブフレームにおいて送信されるようにスケジュールされない場合、ＵＥは、オン持続時間の第１のサブフレームより余分の数のサブフレーム前に不必要に起動する。したがって、ＵＥ  ＤＲＸ起動時間を計画し、ＣＱＩ報告の送信がＤＲＸオン持続時間の第１のサブフレーム中に必要とされないとき、ＵＥが起動している持続時間を適応的に短縮するために、ＣＱＩスケジューリング情報などのＣＱＩ報告要件が使用され得る。ＵＥ起動持続時間が短くなることにより、電力消費が低減される。
【０００６】
[0006]本開示の一態様では、チャネル品質インジケータ（ＣＱＩ）を報告するためのＣＱＩ要件が受信され、ＣＱＩ要件に基づいて、ＣＱＩが周期的に報告されるべきかどうかが判断され、その判断に基づく起動時間がスケジュールされる、ワイヤレス通信のための方法、装置、およびコンピュータプログラム製品が提供される。
【図面の簡単な説明】
【０００７】
【図１】[0007]ネットワークアーキテクチャの例を示す図。
【図２】[0008]アクセスネットワークの例を示す図。
【図３】[0009]ＬＴＥにおけるＤＬフレーム構造の例を示す図。
【図４】[0010]ＬＴＥにおけるＵＬフレーム構造の例を示す図。
【図５】[0011]ユーザプレーンおよび制御プレーンのための無線プロトコルアーキテクチャの例を示す図。
【図６】[0012]アクセスネットワーク中の発展型ノードＢおよびユーザ機器の例を示す図。
【図７】[0013]異種ネットワーク中の範囲拡大セルラー領域を示す図。
【図８】[0014]異なるＣＱＩスケジューリング方式を考慮したＵＥ起動タイムラインを示す図。
【図９】[0015]ワイヤレス通信の方法のフローチャート。
【図１０】[0016]例示的な装置中の異なるモジュール／手段／構成要素間のデータフローを示す概念データフロー図。
【図１１】[0017]処理システムを採用する装置のためのハードウェア実装形態の一例を示す図。
【発明を実施するための形態】
【０００８】
[0018]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００９】
[0019]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１０】
[0020]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１１】
[0021]したがって、１つまたは複数の例示的な実施形態では、説明する機能は、ハードウェア、ソフトウェア、ファームウェア、またはそれらの任意の組合せで実装され得る。ソフトウェアで実装した場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、この場合、ディスク（disk）は、通常、データを磁気的に再生し、ディスク（disc）はデータをレーザーで光学的に再生する。上記の組合せもコンピュータ可読媒体の範囲内に含めるべきである。
【００１２】
[0022]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１３】
[0023]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６はまた、基地局、送受信基地局、無線基地局、無線送受信機、送受信機機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１４】
[0024]ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００１５】
[0025]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、リモートラジオヘッド（ＲＲＨ：remote radio head）と呼ばれることがある。より低い電力クラスのｅＮＢ２０８は、フェムトセル（たとえば、ホームｅＮＢ（ＨｅＮＢ））、ピコセル、またはマイクロセルであり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００１６】
[0026]アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１７】
[0027]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通して空間的にプリコードされた各ストリームを送信することによって達成される。空間的にプリコードされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００１８】
[0028]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコードすることによって達成され得る。セルのエッジにおいて良好なカバレージを達成するために、送信ダイバーシティと組み合わせてシングルストリームビームフォーミング送信が使用され得る。
【００１９】
[0029]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２０】
[0030]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。すなわち、ＵＥが受信するリソースブロックが多いほど、また変調方式が高いほど、ＵＥのデータレートは高くなる。
【００２１】
[0031]図４は、ＬＴＥにおけるＵＬフレーム構造の例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２２】
[0032]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２３】
[0033]初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２４】
[0034]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２５】
[0035]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２６】
[0036]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順序が乱れた受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００２７】
[0037]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００２８】
[0038]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００２９】
[0039]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコードされる。チャネル推定器６７４からのチャネル推定値は、符号化および変調方式を判断するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００３０】
[0040]ＵＥ６５０において、各受信機６５４ＲＸは、そのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータおよび制御信号を復元するために復号され、デインターリーブされる。データおよび制御信号は、次いで、コントローラ／プロセッサ６５９に与えられる。
【００３１】
[0041]コントローラ／プロセッサ６５９はＬ２レイヤを実装する。コントローラ／プロセッサは、プログラムコードとデータとを記憶するメモリ６６０に関連し得る。メモリ６６０は、コンピュータ可読媒体と呼ばれることがある。ＵＬでは、コントローラ／プロセッサ６５９は、コアネットワークからの上位レイヤパケットを復元するために、トランスポートチャネルと論理チャネルとの間での多重分離と、パケット再統合と、復号と、ヘッダの復元と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３２】
[0042]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３３】
[0043]ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００３４】
[0044]ＵＬ送信は、ＵＥ６５０における受信機機能に関して説明した方法と同様の方法でｅＮＢ６１０において処理される。各受信機６１８ＲＸは、そのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３５】
[0045]コントローラ／プロセッサ６７５はＬ２レイヤを実装する。コントローラ／プロセッサ６７５は、プログラムコードとデータとを記憶するメモリ６７６に関連し得る。メモリ６７６は、コンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号（decipher）と、ヘッダ復元（decompression）と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３６】
[0046]図７は、異種ネットワーク中の範囲拡大セルラー領域を示す図７００である。ＲＲＨ７１０ｂなどのより低い電力クラスのｅＮＢは、ＲＲＨ７１０ｂとマクロｅＮＢ７１０ａとの間の拡張セル間干渉協調と、ＵＥ７２０によって実行される干渉消去とを通して、セルラー領域７０２から拡大された範囲拡大セルラー領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、範囲拡大セルラー領域７０３中のＵＥ７２０をサービスし、ＵＥ７２０が範囲拡大セルラー領域７０３に入るとき、マクロｅＮＢ７１０ａからのＵＥ７２０のハンドオフを受け入れることができる。
【００３７】
[0047]一態様では、ＬＴＥ接続モード間欠受信（ＤＲＸ）タイムラインは、チャネル状態情報（ＣＳＩ：channel state information）構成における差異を考慮することによってＵＥにおいて最適化され得る。したがって、ＵＥ電力消費も最適化され得る。
【００３８】
[0048]ＵＥは、ＵＥとネットワーク（ＮＷ）との間の適切な閉ループ動作を保証するために、ｅＮＢにＣＳＩを間欠的に送ることが必要であり得る。ＣＳＩは、１）チャネル品質インジケータ（ＣＱＩ）、２）プリコーディング行列インジケータ（ＰＭＩ：precoding matrix indicator）、および３）ランクインジケータ（ＲＩ：rank indicator）のうちの１つまたは複数を含み得る。ＰＭＩは、閉ループ空間多重化モードに適用可能である。ＲＩは、閉および開ループ空間多重化モードに適用可能である。
【００３９】
[0049]ＣＱＩ値によってシグナリングされ得る変調方式およびコードレートの例示的なリストを以下の表１に示す。
【表１】
0006001092.tif 000002
【００４０】
[0050]表１を参照すると、ＣＱＩインデックスは、チャネルコーディングレートおよび変調方式に対応するインデックスである。ＵＥは、トランスポートブロックサイズおよび変調方式に変換され、時間／周波数基準リソースのセットを使用してＤＬ  ＰＤＳＣＨ上で受信されたとき、測定された受信信号品質に基づいて１０％未満のブロック誤り率（ＢＬＥＲ：block error rate）を保証する、最高インデックス（すなわち、コードレートと変調方式との最も高い組合せ）としてＣＱＩを報告することが必要であり得る。
【００４１】
[0051]ＣＱＩ報告は、ｅＮＢによって周期的、非周期的、またはその両方であるように構成され得る。非周期ＣＱＩ報告の場合、ＵＥは、ＵＥがＣＱＩ報告を送るべきサブフレームより少なくとも４サブフレーム前に、ＣＱＩ報告を送るようにｅＮＢによって命令される。周期ＣＱＩ報告の場合、ＵＥは、ＣＱＩ報告を周期的にフィードバックするように上位レイヤによって半静的に構成される。両方のＣＱＩ報告モードは、間欠受信（ＤＲＸ）機構を用いて構成され得る。いずれの場合も、ＵＥは、サブフレームにおいてダウンリンク受信品質を測定し、ダウンリンク受信品質が測定されたサブフレームの４ミリ秒（４ｍｓ）後の時間に、測定値に基づいてＣＱＩのアップリンク送信を送り得る。
【００４２】
[0052]ＤＲＸは、ＵＥにおいて電力を温存することと連続受信カバレージを維持することとの間の平衡を与えるための機構である。ＤＲＸ機構は、ＵＥが、受信カバレージを失うことなしに所定の周期的間隔においてスリープし、それによって、カバレージをほとんど犠牲にすることなしに電力消費における有意な節約を達成することを可能にする。
【００４３】
[0053]ＤＲＸは、アイドルモードと接続モードの両方で構成され得る。アイドルモードＤＲＸでは、ＵＥは、ネットワークとの専用接続を有せず、着呼についてネットワークからページを受信するのを待つか、またはユーザが出呼を行うのを待つ。ＵＥは、所定の時間の間スリープすることを可能にされ、ＵＥがページを受信することを予想する特定の間隔において起動する。デューティサイクルを含むＤＲＸ構成パラメータは、セル固有であり、ネットワークからのシステム情報（ＳＩ）メッセージ上で搬送される。ＵＥ固有ＤＲＸ構成は、シグナリングされた場合、セル固有構成をオーバーライドし得る。
【００４４】
[0054]接続モードＤＲＸでは、ＵＥはネットワークとの専用接続を有する。いくつかのトリガ（たとえば、ＵＬ／ＤＬトラフィックアクティビティ、アプリケーションタイプなど）に基づいて、ネットワークは、ＤＲＸデューティサイクルを構成することを選択し得る。接続モードＤＲＸにおいて使用されるＤＲＸデューティサイクルは、概して、アイドルモードＤＲＸにおいて使用されるデューティサイクルよりも短いことがあるが、アイドルモードＤＲＸデューティサイクルほど長いことがある。ＵＥは、所定の周期的間隔の間スリープすることを可能にされ、物理ダウンリンク制御チャネル（ＰＤＣＣＨ：physical downlink control channel）を復調するために特定の間隔において起動する。さらに、アイドルモードＤＲＸと比較して、接続モードＤＲＸ  ＵＥは、起動時に、ＣＳＩフィードバック、アップリンクトラフィック送信など、追加のタスクを実行することが必要であり得る。
【００４５】
[0055]ＤＲＸが構成されたとき、周期ＣＱＩ報告は、「アクティブ時間」中にＵＥによって送られ得る。ＲＲＣは、周期ＣＱＩ報告が「オン持続時間」中にのみ送られるように、周期ＣＱＩ報告をさらに制限することができる。オン持続時間は、上位レイヤによって定義され、ＵＥがＤＲＸサイクルごとにダウンリンク制御チャネルを監視する（サブフレームまたはミリ秒単位の）最小持続時間である。ＤＲＸサイクル長も上位レイヤによって定義される。アクティブ時間は、ＵＥがダウンリンク制御チャネルを監視する持続時間であり、通常、オン持続時間に等しいかまたはそれよりも長い。したがって、ＤＲＸオン持続時間に関して説明する態様はＤＲＸアクティブ時間にも適用されるので、本明細書での説明はＤＲＸオン持続時間に限定され得る。
【００４６】
[0056]ＤＲＸモードにおいてバッテリー電力をより少なく消費するために、ＵＥは、できる限り短い時間の間、信号を処理するために起動しているべきである。したがって、ＵＥができる限り遅く起動することが望ましい。しかしながら、ＵＥは、オン持続時間内の第１のサブフレームにおいて開始してダウンリンクチャネルを監視するのに十分早く起動しなければならない。さらに、周期ＣＱＩ報告がオン持続時間の第１のサブフレームにおいて送信のためにスケジュールされる場合、ＵＥは、オン持続時間の第１のサブフレームよりｘミリ秒／サブフレーム前にダウンリンク情報を処理するために起動しなければならず、ただし、ｘは、ＣＱＩ報告を生成するために必要とされるミリ秒／サブフレームの数である。たとえば、ｘの値は、４よりも大きいかまたはそれに等しい。
【００４７】
[0057]上記の例では、ＵＥは、周期ＣＱＩ報告がオン持続時間の第１のサブフレームにおいて送信のためにスケジュールされるワーストケースシナリオを考慮するために、オン持続時間の開始の余分のｘミリ秒前に起動しなければならない。これは、ＵＥ起動持続時間を余分のｘミリ秒だけ延長し、この延長は、周期ＣＱＩ報告がスケジュールされるとき、および周期ＣＱＩ報告がオン持続時間の第１のサブフレーム中に送信されるべきであるときのみ、必要である。
【００４８】
[0058]したがって、ＵＥ  ＤＲＸ起動時間を計画し、ＣＱＩ報告の送信がＤＲＸオン持続時間の第１のサブフレーム中に必要とされないとき、ＵＥ起動持続時間を適応的に短縮するために、ＣＱＩスケジューリング情報など、ＣＱＩ報告要件に関する情報が使用され得る。これにより、起動持続時間がより短くなり、待機電流が低減されることにより、ＵＥのための待機時間が改善される。ＣＱＩ報告要件は、たとえば、オーバージエア（ＯＴＡ）送信、ダウンリンクシグナリング、または再構成メッセージを介してネットワークから受信され得る。
【００４９】
[0059]一態様では、ＤＲＸが接続モードで構成され、ＵＥがアクティブ時間の終了時にスリープする準備ができているとき、次の起動に備えて、ＵＥは以下のことを実行し得る。
【００５０】
[0060]１）周期ＣＱＩ報告が構成されない場合、ＵＥは、次のオン持続時間の第１のサブフレームにおいてダウンリンク情報の処理を可能にするために起動するようにスケジュールし、
[0061]２）周期ＣＱＩ報告が構成され、ｙ≧ｘである場合、ＵＥは、次のオン持続時間の第１のサブフレームにおいてダウンリンク情報の処理を可能にするために起動するようにスケジュールし、
[0062]３）周期ＣＱＩ報告が構成され、ｙ＜ｘである場合、ＵＥは、次のオン持続時間の開始のｘ−ｙサブフレーム直前にダウンリンク情報の処理を可能にするために起動するようにスケジュールする。
【００５１】
[0063]ただし、ｘは、ＣＱＩ報告を生成するために必要とされるサブフレーム単位の持続時間であり、ｙは、オン持続時間の第１のサブフレームと、周期ＣＱＩ報告が送信されるべきであるサブフレームとの間のオフセットである。
【００５２】
[0064]図８は、異なるＣＱＩスケジューリング方式を考慮したＵＥ起動タイムラインを示す図８００である。図８を参照すると、「ｎ」は、オン持続時間の第１のサブフレームのインデックスに対応し、「ｎ＋Ｎ−１」は、オン持続時間またはアクティブ時間の最後のサブフレームのインデックスに対応する。一例として、４サブフレームの持続時間が、ＣＱＩ報告を生成するために必要とされる。その上、ＣＱＩ報告スケジュールに関する情報がＵＥによってネットワークから受信され得る。
【００５３】
[0065]８１０に示されるＣＱＩスケジューリング方式では、ＵＥは、オン持続時間の第１のサブフレーム（サブフレームｎ）において開始してＣＱＩを周期的に報告する準備ができている。この方式は、ＵＥがオン持続時間の開始時にＣＱＩ報告を送信するための準備をする、上記で説明したワーストケースシナリオを示す。したがって、ＵＥは、オン持続時間の第１のサブフレームより４サブフレーム前であるサブフレームｎ−４においてダウンリンク情報を処理し始めるために、ウォームアップ持続時間を考慮に入れて、所定の時間において起動するようにスケジュールする。サブフレームｎ−４において処理し始めることによって、ＵＥは、サブフレームｎにおいて開始してＣＱＩ報告を送るために、ＣＱＩ報告を生成するための必要とされる時間の量（たとえば、４サブフレーム）の間ダウンリンク情報を処理することができる。オン持続時間またはアクティブ時間の最後のサブフレームにおいて、ＵＥはダウンリンク情報を処理し終える。
【００５４】
[0066]８２０に示されるＣＱＩスケジューリング方式では、ＵＥは、周期ＣＱＩ報告が必要とされないこと、またはＵＥがオン持続時間の第４のサブフレームの後のサブフレーム（サブフレームｎ＋４〜サブフレームｎ＋Ｎ−１）においてＣＱＩを周期的に報告するようにスケジュールされることに気づいている。したがって、ＵＥは、オン持続時間の第１のサブフレームであるサブフレームｎにおいてダウンリンク情報を処理し始めるために、ウォームアップ持続時間を考慮に入れて、所定の時間において起動するようにスケジュールする。特に、サブフレームｎにおいてダウンリンク情報を処理し始めることによって、ＵＥは、周期ＣＱＩ報告がスケジュールされる場合、サブフレームｎ＋４とサブフレームｎ＋Ｎ−１との間のいずれかのサブフレームにおいてＣＱＩ報告を送ることに先立ってＣＱＩ報告を生成するために、少なくとも、必要とされる時間の量（たとえば、４サブフレーム）を有することになる。
【００５５】
[0067]８２０のスケジューリング方式に示すように、ＵＥは、周期ＣＱＩ報告がスケジュールされないこと、または周期ＣＱＩ報告がオン持続時間の第４のサブフレームの後のサブフレームにおいてスケジュールされることに気づいているので、ＵＥは、８１０に示されるＣＱＩスケジューリング方式と比較して、時間的により遅く起動し得る。したがって、８１０のスケジューリング方式と比較して、８２０のスケジューリング方式を利用するＵＥは、ＵＥが、ＣＱＩ報告スケジュールのそれの知識のために、時間的により遅く起動すべきであると知っていることにより、かなりの電力量を節約する。
【００５６】
[0068]８３０に示されるＣＱＩスケジューリング方式では、ＵＥは、オン持続時間の第１のサブフレームの後であるがオン持続時間の第４のサブフレームの前にＣＱＩを周期的に報告するというスケジュールに気づいている。８３０に示されるように、ＵＥは、たとえば、オン持続時間の第３のサブフレーム（サブフレームｎ＋２）においてＣＱＩを報告するようにスケジュールされる。したがって、ＵＥは、オン持続時間の第１のサブフレームより２サブフレーム前であるサブフレームｎ−２においてダウンリンク情報を処理し始めるために、ウォームアップ持続時間を考慮に入れて、所定の時間において起動するようにスケジュールする。特に、サブフレームｎ−２においてダウンリンク情報を処理し始めることによって、ＵＥは、サブフレームｎ＋２においてＣＱＩ報告を送ることに先立ってＣＱＩ報告を生成するために、必要とされる時間の量（たとえば、４サブフレーム）を有することになる。
【００５７】
[0069]言い換えれば、８３０のスケジューリング方式を参照すると、周期ＣＱＩ報告が構成され、ｙ＜ｘであり、ただし、ｙ＝（ｎ＋２）−ｎ＝２（第１のオン持続時間サブフレームと、ＣＱＩが報告されるべきであるサブフレームとの間のオフセット）であり、ｘ＝４（ＣＱＩ報告を生成するために必要とされるサブフレーム）である場合、ＵＥは、オン持続時間の開始の（ｘ−ｙ）＝（４−２）＝２サブフレーム直前にダウンリンク情報の処理を可能にするために起動するようにスケジュールする。８３０において、オン持続時間の開始の２サブフレーム直前であるサブフレームはサブフレームｎ−２である。
【００５８】
[0070]図８の８３０を参照すると、ＵＥは、周期ＣＱＩ報告がオン持続時間の第３のサブフレーム（サブフレームｎ＋２）においてスケジュールされることに気づいているので、８１０に示されるＣＱＩスケジューリング方式と比較して、ＵＥは時間的により遅く起動し得る。したがって、８１０のスケジューリング方式と比較して、８３０のスケジューリング方式を利用するＵＥも、ＵＥが、ＣＱＩ報告スケジュールのそれの認識のために、時間的により遅く起動すべきであると知っていることにより、かなりの電力量を節約する。
【００５９】
[0071]図９は、ワイヤレス通信の方法のフローチャート９００である。本方法は、オン持続時間またはアクティブ時間の終了に近く、スリープするのに先立って次の起動を準備する、接続モードＤＲＸ  ＵＥによって実行され得る。図９の方法では、ＤＲＸ起動時間を計画し、ＣＱＩの送信がＤＲＸオン持続時間の第１のサブフレームにおいて必要とされないとき、起動持続時間を適応的に短縮するために、ＣＱＩ報告要件がＵＥによって利用される。
【００６０】
[0072]ステップ９０２において、ＵＥは、ネットワークからＣＱＩを報告するための要件を受信する。ＣＱＩ報告要件は、ＵＥの起動時間を計画し、ＵＥが起動していることが必要とされる持続時間を短縮するためにＵＥによって使用され得るＣＱＩスケジューリング情報を含み得る。ＣＱＩ報告要件は、たとえば、オーバージエア（ＯＴＡ）送信、ダウンリンクシグナリング、または再構成メッセージを介してネットワークから受信され得る。
【００６１】
[0073]ステップ９０４において、ＵＥは、受信したＣＱＩ要件に基づいて、ＣＱＩが周期的に報告されるべきかどうかを判断する。上述のように、ＣＱＩ報告は、周期的または非周期的であるように構成され得る。周期ＣＱＩ報告の場合、ＵＥは、ＣＱＩ報告を周期的にフィードバックするように半静的に構成される。たとえば、ＵＥは、サブフレームにおいてダウンリンク受信品質を測定し、ダウンリンク受信品質が測定されたサブフレームの４ミリ秒（４ｍｓ）後の時間に、測定値に基づいてＣＱＩのアップリンク送信を送り得る。ここで、４ｍｓの値は、ネットワークから受信したＣＱＩ要件中に含まれ得る。ＵＥが、ＣＱＩが周期的に報告されるべきであると判断した場合、ＵＥはステップ９０６に進む。ＵＥが、ＣＱＩが周期的に報告されるべきでないと判断した場合、ＵＥはステップ９０８に進む。
【００６２】
[0074]ステップ９０８において、ＵＥは、ＣＱＩが周期的に報告されるべきでないと判断されたとき、オン持続時間の第１のサブフレームにおいてダウンリンク処理を可能にするために起動するようにスケジュールする。ダウンリンク処理を可能にすることは、上述のようにダウンリンク受信品質を測定することを含み得る。その上、オン持続時間は、ＵＥがＤＲＸサイクルごとにダウンリンク制御チャネルを監視する持続時間を指すことがある。
【００６３】
[0075]ステップ９０６において、ＵＥは、ＣＱＩが周期的に報告されるべきであると判断されたとき、ＣＱＩがオン持続時間の開始直後のｘサブフレームのうちのいずれか１つ中に送信されるべきかどうかを判断する。ＵＥはまた、ｙの値がｘの値よりも小さいかどうかを判断する。ここで、ｘの値は、ＣＱＩ報告を生成するために必要とされるサブフレームの数を指し、ｙの値は、オン持続時間の第１のサブフレームと、ＣＱＩが送信されるべきであるオン持続時間の開始直後のサブフレームとの間のオフセットを指す。ｘとｙの値、およびＣＱＩを報告すべきサブフレームを識別する情報は、ネットワークから受信したＣＱＩ要件中に含まれ得る。ＵＥが、ＣＱＩがオン持続時間の開始直後のｘサブフレームのうちのいずれか１つ中に送信されるべきでないと判断し、および／またはｙの値がｘの値以上である場合、ＵＥは、上記で説明したステップ９０８に進み、オン持続時間の第１のサブフレームにおいてダウンリンク処理を可能にするために起動するようにスケジュールする。ＵＥが、ＣＱＩがオン持続時間の開始直後のｘサブフレームのうちのいずれか１つ中に送信されるべきであると判断し、ｙの値がｘの値よりも小さい場合、ＵＥはステップ９１０に進む。
【００６４】
[0076]ステップ９１０において、ＵＥは、オン持続時間の開始のｘ−ｙサブフレーム直前にダウンリンク情報の処理を可能にするために起動するようにスケジュールする。オン持続時間の開始のｘ−ｙサブフレーム直前であるサブフレームにおいてダウンリンク処理を可能にすることによって、ＵＥは、ＵＥがＣＱＩ報告を生成するために必要とされる量のサブフレームの間処理することができることを保証しながら、ダウンリンク情報を処理するために最も遅い可能な時間に起動する。上述のように、ｘの値は、ＣＱＩ報告を生成するために必要とされるサブフレームの数であり、ｙの値は、オン持続時間の第１のサブフレームと、ＣＱＩが報告されるべきであるオン持続時間の開始直後のサブフレームとの間のオフセットである。一例として図８の８３０を参照すると、ｘの値（ＣＱＩ報告を生成するために必要とされるサブフレーム）は４に等しく、ｙの値（第１のオン持続時間サブフレームと、ＣＱＩが報告されるべきであるサブフレームとの間のオフセット）は（ｎ＋２）−ｎ＝２に等しい。したがって、ＵＥは、オン持続時間の開始の（ｘ−ｙ）＝（４−２）＝２サブフレーム直前にダウンリンク情報の処理を可能にするために起動するようにスケジュールする。図８の８３０に示すように、オン持続時間の開始の２サブフレーム直前であるサブフレームはサブフレームｎ−２である。したがって、ＵＥは、サブフレームｎ−２においてダウンリンク処理を可能にするために起動するようにスケジュールする。ステップ９１２において、ＵＥがステップ９０８の動作またはステップ９１０の動作のいずれかを実行した後、ＵＥはオン持続時間またはアクティブ時間の終了時にスリープする。
【００６５】
[0077]図１０は、例示的な装置１００２中の異なるモジュール／手段／構成要素間のデータフローを示す概念データフロー図１０００である。本装置はＵＥであり得る。装置１００２は、受信モジュール１００４と、周期ＣＱＩ判断モジュール１００６と、サブフレーム判断モジュール１００８と、スケジューリングモジュール１０１０と、ダウンリンク処理モジュール１０１２と、送信モジュール１０１４とを含む。
【００６６】
[0078]受信モジュール１００４は、ネットワーク１０５０からＣＱＩを報告するための要件を受信する。ＣＱＩ報告要件は、起動時間を計画し、起動持続時間を短縮するために装置１００２によって使用され得るＣＱＩスケジューリング情報を含み得る。ＣＱＩ報告要件は、たとえば、オーバージエア（ＯＴＡ）送信、ダウンリンクシグナリング、または再構成メッセージを介してネットワーク１０５０から受信され得る。
【００６７】
[0079]受信モジュール１００４によって受信されたＣＱＩ要件に基づいて、周期ＣＱＩ判断モジュール１００６は、ＣＱＩが周期的に報告されるべきかどうかを判断する。ＣＱＩ判断モジュール１００６が、ＣＱＩが周期的に報告されるべきでないと判断したとき、スケジューリングモジュール１０１０は、ダウンリンク処理モジュール１０１２がオン持続時間の第１のサブフレームにおいてダウンリンク情報を処理する（たとえば、ダウンリンク受信品質を測定する）ことを可能にするために起動するように装置１００２をスケジュールする。オン持続時間は、装置１００２がＤＲＸサイクルごとにダウンリンク制御チャネルを監視する持続時間を指すことがある。
【００６８】
[0080]ＣＱＩ判断モジュール１００６が、ＣＱＩが周期的に報告されるべきであると判断したとき、サブフレーム判断モジュール１００８は、ＣＱＩがオン持続時間の開始直後のｘサブフレームのうちのいずれか１つ中に送信されるべきかどうかを判断する。サブフレーム判断モジュール１００８はまた、ｙの値がｘの値よりも小さいかどうかを判断し、ただし、ｘの値は、ＣＱＩ報告を生成するために必要とされるサブフレームの数であり、ｙの値は、オン持続時間の第１のサブフレームと、ＣＱＩが送信されるべきであるオン持続時間の開始直後のサブフレームとの間のオフセットである。ｘとｙの値、およびＣＱＩを報告すべきサブフレームを識別する情報は、ネットワーク１０５０から受信したＣＱＩ要件中に含まれ得る。
【００６９】
[0081]サブフレーム判断モジュール１００８が、ＣＱＩがオン持続時間の開始直後のｘサブフレームのうちのいずれか１つ中に送信されるべきでないと判断し、および／またはｙの値がｘの値以上であるとき、スケジューリングモジュール１０１０は、ダウンリンク処理モジュール１０１２がオン持続時間の第１のサブフレームにおいてダウンリンク情報を処理することを可能にするために装置１００２を起動するようにスケジュールする。しかしながら、サブフレーム判断モジュール１００８が、ＣＱＩがオン持続時間の開始直後のｘサブフレームのうちのいずれか１つ中に送信されるべきであると判断し、ｙの値がｘの値よりも小さいとき、スケジューリングモジュール１０１０は、ダウンリンク処理モジュール１０１２がオン持続時間の開始のｘ−ｙサブフレーム直前にダウンリンク情報を処理することを可能にするために装置１００２を起動するようにスケジュールする。
【００７０】
[0082]オン持続時間の開始のｘ−ｙサブフレーム直前であるサブフレームにおいてダウンリンク処理を可能にすることによって、装置１００２は、装置１００２がＣＱＩ報告を生成するために必要とされる量のサブフレームの間処理することができることを保証しながら、ダウンリンク情報を処理するために最も遅い可能な時間に起動する。ｘの値は、ＣＱＩ報告を生成するために必要とされるサブフレームの数であり、ｙの値は、オン持続時間の第１のサブフレームと、ＣＱＩが報告されるべきであるオン持続時間の開始直後のサブフレームとの間のオフセットである。
【００７１】
[0083]ダウンリンク情報を処理すると、ダウンリンク処理モジュール１０１２はさらに、ＣＱＩ報告を生成し得る。ＣＱＩ報告は、次いで、スケジュールされたサブフレームにおいて送信モジュール１０１４を介してネットワーク１０５０に送信され得る。
【００７２】
[0084]本装置は、図９の上述のフローチャート中のアルゴリズムのステップの各々を実行する追加のモジュールを含み得る。したがって、図９の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００７３】
[0085]図１１は、処理システム１１１４を採用する装置１００２’のためのハードウェア実装形態の例を示す図である。処理システム１１１４は、バス１１２４によって概略的に表されるバスアーキテクチャを用いて実装され得る。バス１１２４は、処理システム１１１４の特定の適用例および全体的な設計制約に応じて、任意の数の相互接続バスおよびブリッジを含み得る。バス１１２４は、プロセッサ１１０４、モジュール１００４、１００６、１００８、１０１０、１０１２、１０１４およびコンピュータ可読媒体１１０６によって表される１つまたは複数のプロセッサおよび／またはハードウェアモジュールを含む様々な回路を互いにリンクする。バス１１２４はまた、タイミングソース、周辺機器、電圧調整器、および電力管理回路など、様々な他の回路をリンクし得るが、これらの回路は当技術分野においてよく知られており、したがって、これ以上説明しない。
【００７４】
[0086]処理システム１１１４はトランシーバ１１１０に結合され得る。トランシーバ１１１０は、１つまたは複数のアンテナ１１２０に結合される。トランシーバ１１１０は、伝送媒体を介して様々な他の装置と通信するための手段を与える。処理システム１１１４は、コンピュータ可読媒体１１０６に結合されたプロセッサ１１０４を含む。プロセッサ１１０４は、コンピュータ可読媒体１１０６に記憶されたソフトウェアの実行を含む一般的な処理を担当する。ソフトウェアは、プロセッサ１１０４によって実行されたとき、処理システム１１１４に、特定の装置のための上記で説明した様々な機能を実行させる。コンピュータ可読媒体１１０６はまた、ソフトウェアを実行するときにプロセッサ１１０４によって操作されるデータを記憶するために使用され得る。処理システムは、モジュール１００４、１００６、１００８、１０１０、１０１２、および１０１４のうちの少なくとも１つをさらに含む。それらのモジュールは、プロセッサ１１０４中で動作するか、コンピュータ可読媒体１１０６中に常駐する／記憶されたソフトウェアモジュールであるか、プロセッサ１１０４に結合された１つまたは複数のハードウェアモジュールであるか、またはそれらの何らかの組合せであり得る。処理システム１１１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００７５】
[0087]一構成では、ワイヤレス通信のための装置１００２／１００２’は、チャネル品質インジケータ（ＣＱＩ）を報告するためのＣＱＩ要件を受信するための手段と、ＣＱＩ要件に基づいて、ＣＱＩが周期的に報告されるべきかどうかを判断するための手段と、その判断に基づいて起動時間をスケジュールするための手段とを含む。上述の手段は、上述の手段によって具陳した機能を実行するように構成された、装置１００２および／または装置１００２’の処理システム１１１４の上述のモジュールのうちの１つまたは複数であり得る。上記で説明したように、処理システム１１１４は、ＴＸプロセッサ６６８と、ＲＸプロセッサ６５６と、コントローラ／プロセッサ６５９とを含み得る。したがって、一構成では、上述の手段は、上述の手段によって具陳した機能を実行するように構成されたＴＸプロセッサ６６８と、ＲＸプロセッサ６５６と、コントローラ／プロセッサ６５９とであり得る。
【００７６】
[0088]開示したプロセス中のステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わされるかまたは省略され得る。添付の方法クレームは、様々なステップの要素を例示的な順序で提示したものであり、提示された特定の順序または階層に限定されるものではない。
【００７７】
[0089]以上の説明は、本明細書で説明した様々な態様を当業者が実施できるようにするために与えたものである。これらの態様に対する様々な変更は当業者には容易に明らかであり、本明細書で定義した一般的原理は他の態様に適用され得る。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的等価物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］  チャネル品質インジケータ（ＣＱＩ）を報告するためのＣＱＩ要件を受信することと、
前記ＣＱＩ要件に基づいて、前記ＣＱＩが周期的に報告されるべきかどうかを判断することと、
前記判断に基づいて起動時間をスケジュールすることとを備える、ワイヤレス通信の方法。
［Ｃ２］  前記起動時間を前記スケジュールすることは、
前記ＣＱＩが周期的に報告されるべきでないと判断されたとき、オン持続時間の第１のサブフレームにおいてダウンリンク情報の処理を可能にするために起動するようにスケジュールすることを備え、前記オン持続時間は、ダウンリンク制御チャネルが間欠受信（ＤＲＸ）サイクルごとに監視される持続時間である、Ｃ１に記載の方法。
［Ｃ３］  前記起動時間を前記スケジュールすることは、
前記ＣＱＩが周期的に報告されるべきであると判断されたとき、前記ＣＱＩが、オン持続時間の開始直後のｘサブフレームのうちのいずれか１つ中に送信されるべきかどうかを判断することを備え、
前記オン持続時間は、ダウンリンク制御チャネルが間欠受信（ＤＲＸ）サイクルごとに監視される持続時間であり、
ｘが、ＣＱＩ報告を生成するために必要とされるサブフレームの数である、Ｃ１に記載の方法。
［Ｃ４］  前記起動時間を前記スケジュールすることは、
前記ＣＱＩが、前記オン持続時間の前記開始直後の前記ｘサブフレームのうちのいずれか１つ中に送信されるべきであると判断されたとき、前記オン持続時間の前記開始のｘ−ｙサブフレーム直前であるサブフレームにおいてダウンリンク情報の処理を可能にするために起動するようにスケジュールすることをさらに備え、
ｙは、前記オン持続時間の第１のサブフレームと、前記ＣＱＩが送信されるべきである前記ｘサブフレームのうちの１つとの間のオフセットであり、
ｙがｘよりも小さい、Ｃ３に記載の方法。
［Ｃ５］  前記起動時間を前記スケジュールすることは、
ｙがｘよりも大きいかまたはそれに等しいとき、前記オン持続時間の第１のサブフレームにおいてダウンリンク情報の処理を可能にするために起動するようにスケジュールすることをさらに備える、Ｃ４に記載の方法。
［Ｃ６］  前記起動時間を前記スケジュールすることは、
前記ＣＱＩが、前記オン持続時間の前記開始直後の前記ｘサブフレームのうちのいずれか１つ中に送信されるべきでないと判断されたとき、前記オン持続時間の第１のサブフレームにおいてダウンリンク情報の処理を可能にするために起動するようにスケジュールすることをさらに備える、Ｃ３に記載の方法。
［Ｃ７］  チャネル品質インジケータ（ＣＱＩ）を報告するためのＣＱＩ要件を受信するための手段と、
前記ＣＱＩ要件に基づいて、前記ＣＱＩが周期的に報告されるべきかどうかを判断するための手段と、
前記判断に基づいて起動時間をスケジュールするための手段とを備える、ワイヤレス通信のための装置。
［Ｃ８］  前記起動時間をスケジュールするための前記手段は、
前記ＣＱＩが周期的に報告されるべきでないと判断されたとき、オン持続時間の第１のサブフレームにおいてダウンリンク情報の処理を可能にするために起動するようにスケジュールするように構成され、前記オン持続時間は、ダウンリンク制御チャネルが間欠受信（ＤＲＸ）サイクルごとに監視される持続時間である、Ｃ７に記載の装置。
［Ｃ９］  前記起動時間をスケジュールするための前記手段は、
前記ＣＱＩが周期的に報告されるべきであると判断されたとき、前記ＣＱＩが、オン持続時間の開始直後のｘサブフレームのうちのいずれか１つ中に送信されるべきかどうかを判断するように構成され、
前記オン持続時間は、ダウンリンク制御チャネルが間欠受信（ＤＲＸ）サイクルごとに監視される持続時間であり、
ｘが、ＣＱＩ報告を生成するために必要とされるサブフレームの数である、Ｃ７に記載の装置。
［Ｃ１０］  前記起動時間をスケジュールするための前記手段は、
前記ＣＱＩが、前記オン持続時間の前記開始直後の前記ｘサブフレームのうちのいずれか１つ中に送信されるべきであると判断されたとき、前記オン持続時間の前記開始のｘ−ｙサブフレーム直前であるサブフレームにおいてダウンリンク情報の処理を可能にするために起動するようにスケジュールするようにさらに構成され、
ｙは、前記オン持続時間の第１のサブフレームと、前記ＣＱＩが送信されるべきである前記ｘサブフレームのうちの１つとの間のオフセットであり、
ｙがｘよりも小さい、Ｃ９に記載の装置。
［Ｃ１１］  前記起動時間をスケジュールするための前記手段は、
ｙがｘよりも大きいかまたはそれに等しいとき、前記オン持続時間の第１のサブフレームにおいてダウンリンク情報の処理を可能にするために起動するようにスケジュールするようにさらに構成された、Ｃ１０に記載の装置。
［Ｃ１２］  前記起動時間をスケジュールするための前記手段は、
前記ＣＱＩが、前記オン持続時間の前記開始直後の前記ｘサブフレームのうちのいずれか１つ中に送信されるべきでないと判断されたとき、前記オン持続時間の第１のサブフレームにおいてダウンリンク情報の処理を可能にするために起動するようにスケジュールするようにさらに構成された、Ｃ９に記載の装置。
［Ｃ１３］  チャネル品質インジケータ（ＣＱＩ）を報告するためのＣＱＩ要件を受信することと、
前記ＣＱＩ要件に基づいて、前記ＣＱＩが周期的に報告されるべきかどうかを判断することと、
前記判断に基づいて起動時間をスケジュールすることとを行うように構成された処理システムを備える、ワイヤレス通信のための装置。
［Ｃ１４］  前記処理システムは、
前記ＣＱＩが周期的に報告されるべきでないと判断されたとき、オン持続時間の第１のサブフレームにおいてダウンリンク情報の処理を可能にするために起動するようにスケジュールするようにさらに構成され、前記オン持続時間は、ダウンリンク制御チャネルが間欠受信（ＤＲＸ）サイクルごとに監視される持続時間である、Ｃ１３に記載の装置。
［Ｃ１５］  前記処理システムは、
前記ＣＱＩが周期的に報告されるべきであると判断されたとき、前記ＣＱＩが、オン持続時間の開始直後のｘサブフレームのうちのいずれか１つ中に送信されるべきかどうかを判断するようにさらに構成され、
前記オン持続時間は、ダウンリンク制御チャネルが間欠受信（ＤＲＸ）サイクルごとに監視される持続時間であり、
ｘが、ＣＱＩ報告を生成するために必要とされるサブフレームの数である、Ｃ１３に記載の装置。
［Ｃ１６］  前記処理システムは、
前記ＣＱＩが、前記オン持続時間の前記開始直後の前記ｘサブフレームのうちのいずれか１つ中に送信されるべきであると判断されたとき、前記オン持続時間の前記開始のｘ−ｙサブフレーム直前であるサブフレームにおいてダウンリンク情報の処理を可能にするために起動するようにスケジュールするようにさらに構成され、
ｙは、前記オン持続時間の第１のサブフレームと、前記ＣＱＩが送信されるべきである前記ｘサブフレームのうちの１つとの間のオフセットであり、
ｙがｘよりも小さい、Ｃ１５に記載の装置。
［Ｃ１７］  前記処理システムは、
ｙがｘよりも大きいかまたはそれに等しいとき、前記オン持続時間の第１のサブフレームにおいてダウンリンク情報の処理を可能にするために起動するようにスケジュールするようにさらに構成された、Ｃ１６に記載の装置。
［Ｃ１８］  前記処理システムは、
前記ＣＱＩが、前記オン持続時間の前記開始直後の前記ｘサブフレームのうちのいずれか１つ中に送信されるべきでないと判断されたとき、前記オン持続時間の第１のサブフレームにおいてダウンリンク情報の処理を可能にするために起動するようにスケジュールするようにさらに構成された、Ｃ１５に記載の装置。
［Ｃ１９］  チャネル品質インジケータ（ＣＱＩ）を報告するためのＣＱＩ要件を受信することと、
前記ＣＱＩ要件に基づいて、前記ＣＱＩが周期的に報告されるべきかどうかを判断することと、
前記判断に基づいて起動時間をスケジュールすることとを行うためのコードを備えるコンピュータ可読媒体を備える、コンピュータプログラム製品。
［Ｃ２０］  前記起動時間をスケジュールするための前記コードは、
前記ＣＱＩが周期的に報告されるべきでないと判断されたとき、オン持続時間の第１のサブフレームにおいてダウンリンク情報の処理を可能にするために起動するようにスケジュールするように構成され、前記オン持続時間は、ダウンリンク制御チャネルが間欠受信（ＤＲＸ）サイクルごとに監視される持続時間である、Ｃ１９に記載のコンピュータプログラム製品。
［Ｃ２１］  前記起動時間をスケジュールするための前記コードは、
前記ＣＱＩが周期的に報告されるべきであると判断されたとき、前記ＣＱＩが、オン持続時間の開始直後のｘサブフレームのうちのいずれか１つ中に送信されるべきかどうかを判断するように構成され、
前記オン持続時間は、ダウンリンク制御チャネルが間欠受信（ＤＲＸ）サイクルごとに監視される持続時間であり、
ｘが、ＣＱＩ報告を生成するために必要とされるサブフレームの数である、Ｃ１９に記載のコンピュータプログラム製品。
［Ｃ２２］  前記起動時間をスケジュールするための前記コードは、
前記ＣＱＩが、前記オン持続時間の前記開始直後の前記ｘサブフレームのうちのいずれか１つ中に送信されるべきであると判断されたとき、前記オン持続時間の前記開始のｘ−ｙサブフレーム直前であるサブフレームにおいてダウンリンク情報の処理を可能にするために起動するようにスケジュールするようにさらに構成され、
ｙは、前記オン持続時間の第１のサブフレームと、前記ＣＱＩが送信されるべきである前記ｘサブフレームのうちの１つとの間のオフセットであり、
ｙがｘよりも小さい、Ｃ２１に記載のコンピュータプログラム製品。
［Ｃ２３］  前記起動時間をスケジュールするための前記コードは、
ｙがｘよりも大きいかまたはそれに等しいとき、前記オン持続時間の第１のサブフレームにおいてダウンリンク情報の処理を可能にするために起動するようにスケジュールするようにさらに構成された、Ｃ２２に記載のコンピュータプログラム製品。
［Ｃ２４］  前記起動時間をスケジュールするための前記コードは、
前記ＣＱＩが、前記オン持続時間の前記開始直後の前記ｘサブフレームのうちのいずれか１つ中に送信されるべきでないと判断されたとき、前記オン持続時間の第１のサブフレームにおいてダウンリンク情報の処理を可能にするために起動するようにスケジュールするようにさらに構成された、Ｃ２１に記載のコンピュータプログラム製品。
【図１】
0006001092.tif 000003
【図２】
0006001092.tif 000004
【図３】
0006001092.tif 000005
【図４】
0006001092.tif 000006
【図５】
0006001092.tif 000007
【図６】
0006001092.tif 000008
【図７】
0006001092.tif 000009
【図８】
0006001092.tif 000010
【図９】
0006001092.tif 000011
【図１０】
0006001092.tif 000012
【図１１】
0006001092.tif 000013